(57)【要約】      （修正有）【課題】製版に関連する情報等を管理している製版装置にて製版面付けする。【解決手段】面付けの仕様を示す品目情報に基づいてページデータがレイアウトされるための複数の第１の面付けテンプレートの生成を指示する情報を製版装置に送信する手段と、品目情報に基づいて前記第１の面付けテンプレートがレイアウトされるための複数の第２の面付けテンプレートの生成を指示する情報を刷版装置に送信する手段と、受信した第１テンプレートデータ及び第２テンプレートデータを合成して合成面付けテンプレートを生成する手段と、を有し、製版装置は、品目情報に基づいて複数の第１の面付けテンプレートを生成して第１テンプレートデータとして合成面付けテンプレート生成装置に送信する手段を有し、刷版装置は、品目情報に基づいて複数の第２の面付けテンプレートを生成して第２テンプレートデータとして合成面付けテンプレート生成装置に送信する手段を有する。【選択図】図５
2010087832.tif 000002
【特許請求の範囲】
【請求項１】
複数の製版装置及び複数の刷版装置と情報の授受が可能に接続された合成面付けテンプレート生成装置を含む面付けシステムであって、
前記合成面付けテンプレート生成装置は、
面付けの仕様を示す品目情報と、当該品目情報に基づいてページデータがレイアウトされるための複数の第１の面付けテンプレートの生成を指示する情報と、を前記複数の製版装置から選択された一の製版装置に送信する手段と、
前記品目情報と、当該品目情報に基づいて前記第１の面付けテンプレートがレイアウトされるための複数の第２の面付けテンプレートの生成を指示する情報と、を前記複数の刷版装置から選択された一の刷版装置に送信する手段と、
前記一の製版装置から前記複数の第１の面付けテンプレートを示す第１テンプレートデータを受信する手段と、
前記一の刷版装置から前記複数の第２の面付けテンプレートを示す第２テンプレートデータを受信する手段と、
受信した第１テンプレートデータ及び第２テンプレートデータを合成して合成面付けテンプレートを生成する手段と、を有し、
前記一の製版装置は、
前記合成面付けテンプレート生成装置から前記品目情報を受信し、当該品目情報に基づいて前記複数の第１の面付けテンプレートを生成する手段と、
前記複数の第１の面付けテンプレートを示す前記第１テンプレートデータを前記合成面付けテンプレート生成装置に送信する手段と、を有し、
前記一の刷版装置は、
前記合成面付けテンプレート生成装置から前記品目情報を受信し、当該品目情報に基づいて前記複数の第２の面付けテンプレートを生成する手段と、
前記複数の第２の面付けテンプレートを示す前記第２テンプレートデータを前記合成面付けテンプレート生成装置に送信する手段と、を有する
ことを特徴とする面付けシステム。
【請求項２】
複数の製版装置及び複数の刷版装置と情報の授受が可能に接続された合成面付けテンプレート生成装置を含む面付けシステムにおける前記合成面付けテンプレート生成装置であって、
面付けの仕様を示す品目情報と、当該品目情報に基づいてページデータがレイアウトされるための複数の第１の面付けテンプレートの生成を指示する情報と、を前記複数の製版装置から選択された一の製版装置に送信する手段と、
前記品目情報と、当該品目情報に基づいて前記第１の面付けテンプレートがレイアウトされるための複数の第２の面付けテンプレートの生成を指示する情報と、を前記複数の刷版装置から選択された一の刷版装置に送信する手段と、
前記一の製版装置から前記複数の第１の面付けテンプレートを示す第１テンプレートデータを受信する手段と、
前記一の刷版装置から前記複数の第２の面付けテンプレートを示す第２テンプレートデータを受信する手段と、
受信した第１テンプレートデータ及び第２テンプレートデータを合成して合成面付けテンプレートを生成する手段と、
を有することを特徴とする合成面付けテンプレート生成装置。
【請求項３】
請求項２に記載の合成面付けテンプレート生成装置であって、
前記ページデータを、生成した合成面付けテンプレートにレイアウトして刷版イメージデータを生成する手段を有することを特徴とする合成面付けテンプレート生成装置。
【請求項４】
請求項２又は請求項３に記載の合成面付けテンプレート生成装置は、何れかの前記製版装置又は何れかの前記刷版装置であることを特徴とする合成面付けテンプレート生成装置。
【請求項５】
コンピュータを、請求項２乃至請求項４のいずれか一項に記載の合成面付けテンプレート生成装置として機能させることを特徴とする合成面付けテンプレート生成プログラム。
【請求項６】
複数の製版装置及び複数の刷版装置と情報の授受が可能に接続された合成面付けテンプレート生成装置における合成面付けテンプレート生成方法であって、
面付けの仕様を示す品目情報と、当該品目情報に基づいてページデータがレイアウトされるための複数の第１の面付けテンプレートの生成を指示する情報と、を前記複数の製版装置から選択された一の製版装置に送信する工程と、
前記品目情報と、当該品目情報に基づいて前記第１の面付けテンプレートがレイアウトされるための複数の第２の面付けテンプレートの生成を指示する情報と、を前記複数の刷版装置から選択された一の刷版装置に送信する工程と、
前記一の製版装置から前記複数の第１の面付けテンプレートを示す第１テンプレートデータを受信する工程と、
前記一の刷版装置から前記複数の第２の面付けテンプレートを示す第２テンプレートデータを受信する工程と、
受信した第１テンプレートデータ及び第２テンプレートデータを合成して合成面付けテンプレートを生成する工程と、
を有することを特徴とする合成面付けテンプレート生成方法。
【発明の詳細な説明】
【技術分野】
【０００１】
本発明は、印刷の技術分野に属し、特にページデータをレイアウトためのテンプレートの生成や面付けシステム等に関する。
【背景技術】
【０００２】
雑誌、単行本、などの冊子形態である印刷物（本）は、下記の工程で製作される。
＜１＞台割り表の作成（営業や企画段階で作成）。
＜２＞本の製造仕様（製版情報）と印刷機・折機（刷版情報）の仕様に基づいて、面付けのレイアウトを作成する。
＜３＞刷版データを作成し刷版を作成
＜４＞印刷・折・製本
【０００３】
ところで、＜２＞の工程は「面付け工程」と呼ばれており、＜１＞の工程にて作成された台割り表（本の１ページ目に本文の１ページ目、本の２ページ目に本文の２ページ目、本の３、４ページ目に広告ページ、本の５ページ目に本文の３ページ目等の対応表）に基づいて、＜４＞の工程で最終的に用紙が折り畳まれたときに、第１ページから最終ページまで正しく通しページとなるように、刷版上の正しい位置に各ページデータをレイアウトするための面付けレイアウトを作成する工程である。
【０００４】
この面付け工程を自動で行なう装置については、本発明者らによる特許出願（特許文献１）に開示されている。
【０００５】
かかる特許文献１に記載された自動面付装置による面付け工程では、製版情報と刷版情報の双方を組み合わせて面付けテンプレートを自動計算している。また、製版情報と刷版情報を一元的に管理して、複数の印刷物のページデータを面付けした刷版データを作成する面付け方法に関する発明が特許文献２に開示されている。
【０００６】
このように、テンプレートを計算するためには、印刷機、用紙、綴じ方、仕上がりサイズ等に関連付けされた計算ロジックをデータベース化し、作業者が指示した面付け仕様（印刷機・用紙・綴じ方・仕上がりサイズ等）に基づいてコンピュータで計算させる仕組みが必要となる。そのために、例えば、関東工場の製版と刷版、関西の製版、中部の刷版・・・など、複数拠点の製版の仕様と刷版の仕様の双方を理解してデータベース化を行なわなければならない。
【特許文献１】特開２０００−３２６４７３号公報
【特許文献２】特開２００５−２３１１９３号公報
【特許文献３】特開２００２−２８１２７６号公報
【発明の開示】
【発明が解決しようとする課題】
【０００７】
しかし、製版情報に基づいて製版面付けテンプレートを作成する等の製版面付けの作業と、刷版情報に基づいて刷版面付けテンプレートを作成する等の刷版面付けの作業では、利用する情報やノウハウが異なる。更には、拠点毎に製版や刷版の仕様が異なることから、複数拠点の製版情報と刷版情報を自動面付装置として一台のコンピュータ上で統一して情報管理（情報の登録、情報の更新、アップデート管理等）をするのは膨大な項目を管理しなければならない。
【０００８】
例えば、製版の綴じ方には「中綴じ」「無線綴じ」・・などがあり、刷版の印刷機仕様には「Ａ印刷機」「Ｂ印刷機」・・・などがあるが、「Ａ印刷機の中綴じ」を行なうための製版及び刷版の計算ロジック、「Ｂ印刷機の無線綴じ」の計算ロジックというように、少なくとも製版の項目数と刷版の項目数を乗算した分だけの組み合わせパターンの計算ロジックを管理しなければならない。つまり、製版項目数が１０、刷版項目数が１０であれば、１００パターンの計算ロジックを準備しなければならない。
【０００９】
特に、製版情報と刷版情報の双方の知識を有した作業者が、これらの情報を利用して計算ロジックをコンピュータにて準備、管理しなければならず、作業者の負担が大きい。
【００１０】
また、製版情報は綴じ方、綴じ方向、仕上がりサイズなどの情報であり、刷版情報は印刷機仕様、折仕様、用紙幅などの情報であり、印刷機に応じて適宜変更される情報である。そのため、印刷機が決定されないと刷版情報が定まらないことからページデータの面付けレイアウトができず、上記＜２＞以降の工程を行なうことができないという課題もある。
【００１１】
このような課題に対し、印刷機が決定していなくても、可能な範囲（印刷機仕様に影響されない範囲）で面付け処理をある程度まですすめておく工程（前者工程）と、印刷機決定後に対応する面付け処理を行なう工程（後者工程）の、２つの工程にて面付けを行なう自動面付方法が本発明者らによる特許出願（特許文献３）に開示されている。
【００１２】
具体的には、前者工程は、上記＜１＞の工程で作成した台割り表と製版情報に基づいて製版面付けデータ（画像データ）を生成する工程であり、後者工程は、前者工程で生成した製版面付けデータと刷版情報に基づいて画像データ（刷版イメージデータ）を生成する工程である。
【００１３】
このような、２つの工程に面付け処理を分割することにより、製版情報と刷版情報を個別に管理できるようになる。
【００１４】
しかしながら、上述した前者工程において、製版面付けデータを生成するために、ページデータを製版情報に基づいて面付け後、ＲＩＰ（Raster Image Processor）処理を行なう必要があり、コンピュータの作業時間やコンピュータ資源を多く費やすこととなる。
【００１５】
本発明は以上説明した各課題を解決するためになされたものであり、製版に関連する情報やノウハウ及び計算ロジック等を管理している製版装置にて製版面付けテンプレートを生成させ、刷版に関連する情報やノウハウ及び計算ロジック等を管理している刷版装置にて刷版面付けテンプレートを生成させて、かかる製版面付けテンプレートと刷版面付けテンプレートを合成して合成面付けテンプレートを生成する面付けシステム等を実現することを目的とする。
【課題を解決するための手段】
【００１６】
上記課題を解決すべく、請求項１に記載の発明は、複数の製版装置及び複数の刷版装置と情報の授受が可能に接続された合成面付けテンプレート生成装置を含む面付けシステムであって、前記合成面付けテンプレート生成装置は、面付けの仕様を示す品目情報と、当該品目情報に基づいてページデータがレイアウトされるための複数の第１の面付けテンプレートの生成を指示する情報と、を前記複数の製版装置から選択された一の製版装置に送信する手段と、前記品目情報と、当該品目情報に基づいて前記第１の面付けテンプレートがレイアウトされるための複数の第２の面付けテンプレートの生成を指示する情報と、を前記複数の刷版装置から選択された一の刷版装置に送信する手段と、前記一の製版装置から前記複数の第１の面付けテンプレートを示す第１テンプレートデータを受信する手段と、前記一の刷版装置から前記複数の第２の面付けテンプレートを示す第２テンプレートデータを受信する手段と、受信した第１テンプレートデータ及び第２テンプレートデータを合成して合成面付けテンプレートを生成する手段と、を有し、前記一の製版装置は、前記合成面付けテンプレート生成装置から前記品目情報を受信し、当該品目情報に基づいて前記複数の第１の面付けテンプレートを生成する手段と、生成した前記複数の第１の面付けテンプレートを示す前記第１テンプレートデータを前記合成面付けテンプレート生成装置に送信する手段と、を有し、前記一の刷版装置は、前記合成面付けテンプレート生成装置から前記品目情報を受信し、当該品目情報に基づいて前記複数の第２の面付けテンプレートを生成する手段と、生成した前記複数の第２の面付けテンプレートを示す前記第２テンプレートデータを前記合成面付けテンプレート生成装置に送信する手段と、を有することを特徴とする面付けシステムである。
【００１７】
これによれば、面付け作業の開始から最終的に合成面付けテンプレートを生成するまでの処理時間が短い面付けシステムを実現することができる。また、製版に関連する情報やノウハウ及び計算ロジック等を管理把握する製版装置が製版面付けテンプレート等の第１の面付けテンプレートを生成し、刷版に関連する情報やノウハウ及び計算ロジック等を管理把握する刷版装置が刷版面付けテンプレート等の第２の面付けテンプレートを生成するよう構成したので、合成面付けテンプレート生成装置が製版、刷版のノウハウや計算ロジック等を管理把握する必要がない。さらに、ページデータを実際にレイアウトすることなく、第１テンプレートデータと第２テンプレートデータを用いて合成面付けテンプレートを生成することができるので、ページデータの校正時間を長く取ることができる。
【００１８】
上記課題を解決すべく、請求項２に記載の発明は、複数の製版装置及び複数の刷版装置と情報の授受が可能に接続された合成面付けテンプレート生成装置を含む面付けシステムにおける前記合成面付けテンプレート生成装置であって、面付けの仕様を示す品目情報と、当該品目情報に基づいてページデータがレイアウトされるための複数の第１の面付けテンプレートの生成を指示する情報と、を前記複数の製版装置から選択された一の製版装置に送信する手段と、前記品目情報と、当該品目情報に基づいて前記第１の面付けテンプレートがレイアウトされるための複数の第２の面付けテンプレートの生成を指示する情報と、を前記複数の製版装置から選択された一の刷版装置に送信する手段と、前記一の製版装置から前記複数の第１の面付けテンプレートを示す第１テンプレートデータを受信する手段と、前記一の刷版装置から前記複数の第２の面付けテンプレートを示す第２テンプレートデータを受信する手段と、受信した第１テンプレートデータ及び第２テンプレートデータを合成して合成面付けテンプレートを生成する手段と、を有することを特徴とする合成面付けテンプレート生成装置である。
【００１９】
これによれば、面付け作業の開始から最終的に合成面付けテンプレートを生成するまでの処理時間が短い合成面付けテンプレート生成装置を提供することができる。また、製版に関連する情報やノウハウ及び計算ロジック等を管理把握する製版装置に対して製版面付けテンプレート等の第１の面付けテンプレートの生成を依頼し、刷版に関連する情報やノウハウ及び計算ロジック等を管理把握する刷版装置に対して刷版面付けテンプレート等の第２の面付けテンプレートを依頼して、製版装置と刷版装置から第１テンプレートデータ及び第２テンプレートデータを受信するよう構成したので、合成面付けテンプレート生成装置が製版、刷版のノウハウや計算ロジック等を管理把握する必要がない。さらに、ページデータを実際にレイアウトすることなく、第１テンプレートデータと第２テンプレートデータを用いて合成面付けテンプレートを生成することができるので、ページデータの校正時間を長く取ることができる。
【００２０】
上記課題を解決すべく、請求項３に記載の発明は、請求項２に記載の合成面付けテンプレート生成装置であって、前記ページデータを、生成した合成面付けテンプレートにレイアウトして刷版イメージデータを生成する手段を有することを特徴とする合成面付けテンプレート生成装置である。
【００２１】
これによれば、複数の印刷物のページデータを、生成した合成面付けテンプレートにレイアウトするだけで刷版イメージデータを生成することができる。
【００２２】
上記課題を解決すべく、請求項４に記載の発明は、請求項２又は請求項３に記載の合成面付けテンプレート生成装置は、何れかの前記製版装置又は何れかの前記刷版装置であることを特徴とする合成面付けテンプレート生成装置である。
【００２３】
これによれば、例えば製版所に設置された製版装置や、例えば印刷所（刷版所）に設置された刷版装置が、合成面付けテンプレートを生成して、これに基づいてページデータをレイアウトし、本の制作（製本）作業を行なうことができる。
【００２４】
上記課題を解決すべく、請求項５に記載の発明は、コンピュータを、請求項２乃至請求項４のいずれか一項に記載の合成面付けテンプレート生成装置として機能させることを特徴とする合成面付けテンプレート生成プログラムである。
【００２５】
上記課題を解決すべく、請求項６に記載の発明は、複数の製版装置及び複数の刷版装置と情報の授受が可能に接続された合成面付けテンプレート生成装置における合成面付けテンプレート生成方法であって、面付けの仕様を示す品目情報と、当該品目情報に基づいてページデータがレイアウトされるための複数の第１の面付けテンプレートの生成を指示する情報と、を前記複数の製版装置から選択された一の製版装置に送信する工程と、前記品目情報と、当該品目情報に基づいて前記第１の面付けテンプレートがレイアウトされるための複数の第２の面付けテンプレートの生成を指示する情報と、を前記複数の製版装置から選択された一の刷版装置に送信する工程と、前記一の製版装置から前記複数の第１の面付けテンプレートを示す第１テンプレートデータを受信する工程と、前記一の刷版装置から前記複数の第２の面付けテンプレートを示す第２テンプレートデータを受信する工程と、受信した第１テンプレートデータ及び第２テンプレートデータを合成して合成面付けテンプレートを生成する工程と、を有することを特徴とする合成面付けテンプレート生成方法である。
【発明の効果】
【００２６】
これによれば、面付け作業の開始から最終的に合成面付けテンプレートを生成するまでの処理時間が短い面付けシステムを実現することができる。また、製版に関連する情報やノウハウ及び計算ロジック等を管理把握する製版装置が製版面付けテンプレート等の第１の面付けテンプレートを生成し、刷版に関連する情報やノウハウ及び計算ロジック等を管理把握する刷版装置が刷版面付けテンプレート等の第２の面付けテンプレートを生成するよう構成したので、合成面付けテンプレート生成装置が製版、刷版のノウハウや計算ロジック等を管理把握する必要がない。さらに、ページデータを実際にレイアウトすることなく、第１テンプレートデータと第２テンプレートデータを用いて合成面付けテンプレートを生成することができるので、ページデータの校正時間を長く取ることができる。
【発明を実施するための最良の形態】
【００２７】
以下、本発明の面付けシステムおよび当該面付けシステムにおける合成面付けテンプレート生成装置の好適な実施の形態を、添付図面に基づいて説明する。本実施形態は、本発明の合成面付けテンプレート生成装置の一例としての面付け装置と、複数の製版装置と、複数の刷版装置とにより構成される自動面付けシステムに本発明の面付けシステムを適用した例を示す。
【００２８】
＜１．自動面付けシステムＳの構成＞
図１は、本実施形態における自動面付けシステムの構成を示す説明図である。
【００２９】
自動面付けシステムＳは、かかる自動面付けシステムＳに参加する製版装置１０ａ、１０ｂ、１０ｃ・・・と、かかる自動面付けシステムＳに参加する刷版装置２０ａ、２０ｂ、２０ｃ・・・と、ページデータをレイアウトして面付けを行なう面付け装置５０を備え、製版装置１０ａ、１０ｂ、１０ｃ・・・及び刷版装置２０ａ、２０ｂ、２０ｃ・・・と、面付け装置５０とは、シリアル、ＵＳＢ、ＩＥＥＥ１３９４、その他の方式にてネットワークを介して情報の授受が可能に接続されて構成される。
【００３０】
本実施形態における製版装置１０ａ、１０ｂ、１０ｃ・・・は、複数の拠点（東京、大阪、名古屋、沖縄・・・等）にある製版所等に設置されたコンピュータを用いることができ、刷版装置２０ａ、２０ｂ、２０ｃ・・・は、複数の拠点にある印刷所（刷版所）等に設置されたコンピュータを用いることができる。なお、以下の説明において、製版装置１０ａ、１０ｂ、１０ｃ・・・を単に「製版装置１０」と言い、刷版装置２０ａ、２０ｂ、２０ｃ・・・を単に「刷版装置２０」と言うことがある。
【００３１】
図１において、製版所及び印刷所を破線曲線にて示す。本実施形態では、製版装置１０と刷版装置２０を共に設置する製版所又は刷版所も存在する。
【００３２】
製版装置１０は、製版に関連する情報やノウハウ及びこれら各情報に基づく製版面付けテンプレート生成のための計算ロジックが記憶、格納されているＨＤ（ＨａｒｄＤｉｓｋ）等により構成される記憶部（図示せず）を備え、面付け装置５０からの依頼（指示）により、記憶部の製版に関連する情報やノウハウ、及び計算ロジック等を利用して、ページデータがレイアウトされるための複数の製版面付けテンプレートを生成する。そして、生成した複数の製版面付けテンプレートを製版面付けテンプレートデータとして面付け装置５０に送信する。なお、製版面付けテンプレートは、本発明の第１の面付けテンプレートの一例であり、製版面付けテンプレートデータは、本発明の第１テンプレートデータの一例である。
【００３３】
刷版装置２０は、刷版に関連する情報やノウハウ及びこれら各情報に基づく刷版面付けテンプレート生成のための計算ロジックが記憶、格納されているＨＤ（ＨａｒｄＤｉｓｋ）等により構成される記憶部（図示せず）を備え、面付け装置５０からの依頼（指示）により、記憶部の刷版に関連する情報やノウハウ、及び計算ロジック等を利用して、複数の刷版面付けテンプレートを生成する。そして、生成した複数の刷版面付けテンプレートを刷版面付けテンプレートデータとして面付け装置５０に送信する。なお、刷版面付けテンプレートは、本発明の第２の面付けテンプレートの一例であり、刷版面付けテンプレートデータは、本発明の第２テンプレートデータの一例である。
【００３４】
このように、製版装置１０及び刷版装置２０は、夫々製版や刷版に必要な情報やノウハウ、計算ロジック等を具備する装置を利用することができる。従って、製版装置１０としては、製版を主な作業処理として各製版所で製版作業を行なう従来公知の製版装置を利用することができ、刷版装置２０としては、刷版が主な作業処理として各印刷所で刷版作業を行なう従来公知の刷版装置を利用することができる。
【００３５】
面付け装置５０は、製版装置１０から受信した製版面付けテンプレートデータと、刷版装置２０から受信した刷版面付けテンプレートデータとを合成して、合成面付けテンプレートを生成し、当該合成面付けテンプレートにページデータをレイアウト（配置）して、ＲＩＰ（Raster Image Processor）処理を経て、刷版イメージデータを出力する。その後、出力された刷版イメージデータに基づいて、刷版（印刷版）が作成され、刷版を使用して用紙に印刷がされ、印刷された用紙を折り畳んで、折丁を作成し、作成した折丁を綴じて本が作成される。
【００３６】
＜２．面付け装置５０の構成及び機能＞
次に、図２を参照して、面付け装置５０の構成及び機能について説明する。
【００３７】
図２は、面付け装置５０の概要構成例を示す図である。
【００３８】
面付け装置５０は、図２に示すように、演算機能を有するＣＰＵ，作業用ＲＡＭ，各種データおよびプログラムを記憶するＲＯＭ等から構成されたコンピュータとしての制御部１１と、各種データ（例えば、後述するデータベース、製版情報及び刷版情報を含む品目情報、製版装置及び刷版装置情報、ページデータ等）及び各種プログラム（本発明の合成面付けテンプレート生成プログラムを含む）等を記憶保存（格納）するためのＨＤ（ＨａｒｄＤｉｓｋ）等から構成された記憶部１２と、ページデータ、生成した合成面付けテンプレート、刷版イメージデータ等を表示する液晶ディスプレイ、ＣＲＴ等の表示部１３と、ネットワークを通じて各製版装置１０、各刷版装置２０等間の情報の通信制御を行なうための通信部１４と、面付け装置５０を操作する操作者からの指示を受け付け当該指示に応じた指示信号を制御部１１に対して与える入力部（例えば、キーボード、マウス、或いは、操作パネル等）１５と、を備えて構成され、制御部１１、記憶部１２、表示部１３、通信部１４、及び入力部１５はバス１６を介して相互に接続されている。なお、面付け装置５０としては、パーソナルコンピュータ、サーバコンピュータ等を適用可能である。
【００３９】
このような構成において、制御部１１は、ＣＰＵが記憶部１２等に記憶されたプログラム（本発明の合成面付けテンプレート生成プログラムを含む）を読み出して実行することにより、本発明の合成面付けテンプレート生成装置として機能する。
【００４０】
なお、合成面付けテンプレート生成プログラムは、例えば、ネットワーク上の所定のコンピュータ等からダウンロードされるようにしてもよいし、例えば、ＣＤ−ＲＯＭ等の記録媒体に記録されて当該記録媒体のドライブを介して読み込まれるようにしても良い。
【００４１】
記憶部１２は、装置情報データベース１２ａを備えており、自動面付けシステムＳに参加している複数の製版装置１０と複数の刷版装置２０のＩＰアドレスやポート番号等のネットワーク情報と、サービス種別と、各製版装置１０及び各刷版装置２０を識別するためのＩＤとが対応付けて記憶されている。
【００４２】
図３に装置情報データベース１２ａに格納（記憶）された装置情報の一例を示す。
【００４３】
同図に示す例によれば、各製版装置１０及び各刷版装置２０を識別するためのＩＤ（Ｍ００１、Ｍ００２、Ｍ００３・・・）に、ネットワーク情報としてのＩＰアドレスと、提供できるサービス種別（製版と刷版の別、Ａが製版、Ｂが刷版）が対応付けられている。
【００４４】
なお、１台の装置が製版、刷版の双方を兼任している場合もある。その場合には、ＩＰアドレスは同一であるが、ＩＤ（Ｍ０２０）（Ｍ０２１）のように、サービス種別によって異なるＩＤが付与されることとなる。
【００４５】
制御部１１は、装置情報データベース１２ａに格納された装置情報の中から、製版面付けテンプレートの生成を依頼（指示）する製版装置１０と、刷版面付けテンプレートの生成を依頼（指示）する刷版装置２０を選択する。
【００４６】
図４に製版装置１０と刷版装置２０の入力選択を促すための表示部１３の表示例を示す。
【００４７】
同図に示すように、面付け装置５０を操作する操作者は、入力部１５のマウス等を操作して表示部１３の画面上のカーソルによって複数の製版装置１０ａ、１０ｂ、１０ｃ、、、の中から一台の製版装置１０を選択し、複数の刷版装置２０ａ、２０ｂ、２０ｃ、、、の中から一台の刷版装置２０を選択する。選択された製版装置１０及び刷版装置２０は、各装置を特定するＩＤをキーとして、装置情報データベース１２ａ（図３参照）にて対応付けられたＩＰアドレスに従って、製版面付けテンプレート／刷版面付けテンプレートの生成指示が送信される。
【００４８】
図５は、面付け装置５０が製版面付けテンプレート及び刷版面付けテンプレートの生成を指示する様子を示す概念図である。
【００４９】
図４で、製版装置１０ｆと刷版装置２０ｇが選択されていることから、面付け装置５０は、選択された各装置を特定するＩＤに対応するＩＰアドレスに従って、大阪の製版所に設置されている製版装置１０ｆに対して製版面付けテンプレートの生成を指示し（図５［１］）、東京の印刷所に設置されている刷版装置２０ｇに対して刷版面付けテンプレートの生成を指示ししている（図５［１］）。
【００５０】
その後、製版装置１０ｆは複数の製版面付けテンプレートを生成し、製版面付けテンプレートデータとして面付け装置５０に送信する（図５［２］）。一方、刷版装置２０ｇは複数の刷版面付けテンプレートを生成し、刷版面付けテンプレートデータとして面付け装置５０に送信する（図５［２］）。
【００５１】
そして、面付け装置５０は、受信した製版面付けテンプレートデータ及び刷版面付けテンプレートデータを合成して合成面付けテンプレートを生成する（図５［３］）。
【００５２】
製版装置１０ｆ及び刷版装置２０ｇは、面付け装置５０から生成指示と共に送信された「品目情報」に基づいて自己が保有（例えば、自己の記憶部に記憶）している製版や刷版の情報及びノウハウ、計算ロジックを使用して製版面付けテンプレート及び刷版面付けテンプレートを生成している。
【００５３】
次いで、「品目情報」について説明する。
【００５４】
「品目情報」とは、面付け装置５０を操作する操作者が所望の本を制作するための面付け仕様を示すものであり、綴じ方、綴じ方向、仕上がりサイズなどの情報を示す製版情報と、印刷機、折仕様、用紙幅、刷版サイズ、用紙サイズなどの情報を示す刷版情報等、本などの印刷物を製造する過程で必要となる情報である。
【００５５】
図６に面付け仕様の入力（指定）を促すための表示部１３の表示例を示す。
【００５６】
同図に示すように、面付け装置５０を操作する操作者は、入力部１５のマウス等を操作して表示部１３の画面上にて、製版情報（綴じ方、綴じ方向、仕上がりサイズ）や、刷版情報（印刷機、刷版サイズ、用紙サイズ）を入力（指定）する。そして、指定された面付け仕様は、品目情報として、選択された製版装置１０及び刷版装置２０に対して製版面付けテンプレート及び刷版面付けテンプレートの生成指示と共に送信されることとなる。
【００５７】
そして各テンプレートの生成指示を受けた製版装置１０及び刷版装置２０が、受信した「品目情報」に基づいて自己の記憶部に記憶している製版や刷版の情報及びノウハウ、計算ロジックを駆使して製版面付けテンプレート及び刷版面付けテンプレートを生成する。
【００５８】
また、記憶部１２には、面付け仕様履歴データベース１２ｂを備えており、過去に製版装置１０及び刷版情報に対して製版面付けテンプレート及び刷反面付けテンプレートの生成を指示した際に送信された品目情報が記憶されている。
【００５９】
図７に面付け仕様履歴データベース１２ｂに格納（記憶）された品目情報の一例を示す。
【００６０】
同図に示す例によれば、製版装置１０及び刷版装置２０に対する各生成指示を識別するためのＩＤ（Ｈ００１、Ｈ００２、Ｈ００３・・・）に、品目名（本Ａは「品目Ａ」、本Ｂは「品目Ｂ」・・等）、折り丁名、製版情報、及び刷版情報が対応付けられている。また、各生成指示情報（Ｈ００１、Ｈ００２）は、折り丁毎に管理されている。なお、折り丁とは、印刷で刷られた８Ｐ，１６Ｐ，３２Ｐなどの印刷物を折ったものであり、製本工程で１単位の部品となるものである。そして、これらの折り丁が複数重ねられることにより、図１６を用いて後述するように本が製作される。
【００６１】
例えば、１冊の本あたり１０折の折り丁（同じ仕様又は異なる仕様のテンプレートを含む）で構成される場合、製版装置１０及び刷版装置２０に対して１０回（Ｈ００１，Ｈ００２，Ｈ０１０、・・・の１０種類の品目情報）製版面付けテンプレート及び刷反面付けテンプレートの生成指示がされることとなる。
【００６２】
また、操作者が新たに面付け仕様を入力（指定）する際には、図７に示す面付け仕様履歴データベース１２ｂを参照して、過去の面付け仕様履歴の中に所望の面付け仕様があれば、かかる面付け仕様を選択するよう構成することもできる。このような構成によれば、新たに面付け仕様を入力する手間を省くことができる。
【００６３】
更に、記憶部１２は、面付け装置５０における合成面付けテンプレートの生成作業を格納する面付け作業管理データベース１２ｃを備えている。
【００６４】
図８に面付け作業管理データベース１２ｃに格納（記憶）された面付け作業情報の一例を示す。
【００６５】
図８に示すように、面付け作業管理データベース１２ｃには、
・面付け装置５０における合成面付けテンプレートの生成作業を特定する作業ＩＤ
・品目情報
・製版面付けテンプレートの生成依頼先である製版装置１０を示す製版面付けテンプレート生成依頼先装置情報
・刷版面付けテンプレートの生成依頼先である刷版装置２０を示す刷版面付けテンプレート生成依頼先装置情報
・製版装置１０から受信した製版面付けテンプレートデータ
・刷版装置２０から受信した刷版面付けテンプレートデータ
・製版面付けテンプレートデータと刷版面付けテンプレートデータを合成して生成した合成面付けテンプレートデータ
が対応付けて記憶されている。
【００６６】
面付け装置５０にて面付け仕様が入力されて品目情報が決定されると、当該面付け作業管理データベース１２ｃの「品目情報」の該当箇所に品目情報（ＩＤ００１など）が登録（記憶）され、製版面付けテンプレートの生成依頼先が選択（図４参照）されて決定されると、「製版面付けテンプレート生成依頼先装置情報」の該当箇所に装置情報（Ｍ００１など）が登録（記憶）される。刷版面付けも同様である。
【００６７】
そして、製版装置１０及び刷版装置２０から製版／刷版テンプレートデータを受信すると各テンプレートデータが該当箇所に登録され、その後、これら各テンプレートデータに基づいて合成面付けテンプレートデータが生成されると、かかる合成面付けテンプレートデータも該当箇所に登録される。
【００６８】
また、面付け作業管理データベース１２ｃには、過去の合成面付けテンプレート生成作業の情報も蓄積保存されている。
【００６９】
図７に示す例の場合、作業ＩＤ００１が最も最近行なった作業であり、合成面付けテンプレート（合成面付けテンプレートデータ）Ｒ００３が生成され格納されている。
【００７０】
続いて、製版装置１０及び刷版装置２０にて生成される製版面付けテンプレート及び刷版面付けテンプレートについて説明する。
【００７１】
＜３．製版面付けテンプレート＞
先ず、製版装置１０にて生成される製版面付けテンプレートについて図９及び図１０を用いて説明する。
【００７２】
製版装置１０は、面付け装置５０から品目情報を受信して製版面付けテンプレートの生成指示を受けると、面付け装置５０が指定した品目情報（受信した品目情報）に基づいて、自己が保有する各種製版に関連する情報及びノウハウ、計算ロジックを利用して本発明の第１の面付けテンプレートの一例である製版面付けテンプレートを生成する。なお、具体的な計算方法は、本願発明者らによる特開２０００−３２６４７３号公報、特開２００２−２８１２７６号公報に詳細に記載されているのでここでの説明は省略する。
【００７３】
図９は、各ページデータが配置される製版面付けテンプレートの一例を示す図である。
【００７４】
図９（Ａ）は、ページ１、ページ８、ページ９、ページ１６が配置される台１の製版面付けテンプレートであり、同図に示す例では、各ページの配置箇所を実線で、台１に相当する箇所を一点鎖線で図示している。
【００７５】
ページ１の左上隅に設定された基準点（０，０）からの距離で、各ページやアクセサリ（トンボ等）のオブジェクトが配置されるべき座標が決定される。
【００７６】
そして、図９（Ｂ）に示すように、台２には、ページ４，５，１２，１３が配置され、台３、台４にも同様に４ページ分のページが配置される。このように、製版装置１０は、全ページデータがレイアウトされるための複数の製版面付けテンプレートを生成する。なお、本実施形態では、各台ごとに４ページづつ配置されるよう構成したが、これに限定されるものではなく、ページ数は各台で異なるよう構成してもよい。
【００７７】
そして、生成した全ての製版面付けテンプレートを、製版面付けテンプレートデータとして面付け装置５０に送信する。
【００７８】
図１０に、製版面付けテンプレートデータの一例を示す。
【００７９】
同図に示す例によれば、製版面付けテンプレートデータを識別するためのＩＤ（Ｒ００１）に、台を特定する管理Ｎｏ．が対応付けられており、各台（台１、台２、・・・）には、それぞれレイアウトされるべきオブジェクト（ページデータ、アクセサリ）が対応付けられている。
【００８０】
更に、各オブジェクトには、各台において配置されるべき座標（座標１、座標２）と、その向きが対応付けられている。なお、図９（Ａ）に示すページ１、ページ８、ページ９、ページ１６の矢印はかかる向きを示している。
【００８１】
面付け装置５０は、製版面付けテンプレートデータを製版装置１０から受信すると、刷版装置２０から受信した刷版面付けテンプレートデータと合成して合成面付けテンプレートデータを生成する。
【００８２】
＜４．刷版面付けテンプレート＞
続いて、刷版装置２０にて生成される刷版面付けテンプレートについて図１１及び図１２を用いて説明する。
【００８３】
刷版装置２０は、面付け装置５０から品目情報を受信して刷版面付けテンプレートの生成指示を受けると、面付け装置５０が指定した品目情報（受信した品目情報）に基づいて、自己が保有する各種刷版に関連する情報及びノウハウ、計算ロジックを利用して本発明の第２の面付けテンプレートの一例である刷版面付けテンプレートを生成する。なお、具体的な計算方法は、本願発明者らによる特開２０００−３２６４７３号公報、特開２００２−２８１２７６号公報に詳細に記載されているのでここでの説明は省略する。
【００８４】
図１１は、刷版面付けテンプレートの一例を示す図である。
【００８５】
図１１は、ＩＤ（Ｈ００１）の刷版面付けテンプレートを示し、（Ａ）は、台（台１、台２）が配置される表の版面付けテンプレートであり、同図に示す例では、台１、台２の配置箇所を一点鎖線で、刷版の領域を実線で、印刷用紙の領域を破線で示している。
【００８６】
台１の左上隅に設定された基準点（０，０）からの距離で、各台や印刷・加工工程等に必要なマーク（例えば背標や見当マークや色玉など）等のオブジェクトが配置されるべき座標が決定される。
【００８７】
そして、図１１（Ｂ）に示すように、裏には、台３、台４が配置される。このように、刷版装置２０は、全ての台がレイアウトされるための複数の刷版面付けテンプレートを生成する。なお、本実施形態では、各版に２つの台が配置されるよう構成したが、これに限定されるものではなく、台の数は版毎に異なるものであってもよい。
【００８８】
そして、生成した全ての刷版面付けテンプレートを、刷版面付けテンプレートデータとして面付け装置５０に送信する。
【００８９】
図１２に、刷版面付けテンプレートデータの一例を示す。
【００９０】
同図に示す例によれば、刷版面付けテンプレートデータを識別するためのＩＤ（Ｒ００２）に、各版の表裏を特定する管理Ｎｏ.が対応付けられており、更に、版にレイアウトされるべきオブジェクト（台１、台２、色玉１、、、）が対応付けられている。
【００９１】
そして更に、各オブジェクトには、各台において配置されるべき座標（座標１、座標２）と、その向きが対応付けられている。図１１（Ａ）に示す台１、台２の矢印はかかる向きを示している。
【００９２】
版２、版３・・についても同様にＩＤ（Ｒ００２）に対応付けて上記各項目が対応付けられている。
【００９３】
＜５．合成面付けテンプレート＞
続いて、面付け装置５０にて生成される合成面付けテンプレートについて図１３及び図１４を用いて説明する。
【００９４】
面付け装置５０は、製版装置１０刷版装置２０から受信した製版面付けテンプレートデータと刷版面付けテンプレートデータを合成して合成面付けテンプレートデータを生成する。
【００９５】
具体的には、製版面付けテンプレートデータ及び刷版面付けテンプレートデータの座標を数学的に統合して座標変換を行ない、各ページが配置されるべき最終的な座標を決定する。
【００９６】
図１３は製版面付けテンプレートデータと刷版面付けテンプレートデータの合成手順の説明図である。
【００９７】
例えば、図９（Ａ）に示した台１は、図１１（Ａ）に示した刷版面付けテンプレートの台１の箇所に対応付けられる。そして、台１の向きは「１８０°」であるため（図１２参照）、図１３に示すように、当該台１に対応する製版面付けテンプレートを回転させた後に、かかる製版面付けテンプレートを刷版面付けテンプレートの台１の配置箇所に配置する。
【００９８】
このように、各製版面付けテンプレートを座標変換を行ない、刷版面付けテンプレートの配置箇所に配置させて、合成面付けテンプレートを生成する。
【００９９】
図１４に合成面付けテンプレートデータの一例を示す。
【０１００】
同図に示す例によれば、合成面付けテンプレートデータを識別するためのＩＤ（Ｒ００３）に、表裏を特定する管理Ｎｏ．が対応付けられており、更に、版にレイアウトされるべきオブジェクト（ページデータ、アクセサリ）が対応付けられている。
【０１０１】
更に、各オブジェクトには、合成面付けテンプレートにおいて配置されるべき座標変換後の座標（座標１、座標２）と、その向きが対応付けられている。これら座標とその向きが、最終的に各ページデータ、アクセサリのレイアウト（配置）位置となる。
【０１０２】
そして、合成面付けテンプレートデータに基づいて各ページデータ（及びアクセサリ）がレイアウト（配置）され、ＲＩＰ（Raster Image Processor）処理を経て、刷版イメージデータを出力する。その後、出力された刷版イメージデータに基づいて、刷版（印刷版）が作成されることとなる。
【０１０３】
＜６．面付け装置５０の制御部の処理＞
以上の動作において、面付け装置５０のコンピュータとしての制御部１１の処理を、図を参照して説明する。
【０１０４】
図１５は、面付け装置５０における制御部１１の処理を示すフローチャートであり、操作者によって面付け処理の開始が指示されることにより制御部１１が記憶部１２に記憶した合成面付けテンプレート生成プログラムを読み出して処理を開始する。そして、作業開始が指示されると、面付け作業管理データベース１２ｃに作業ＩＤが付与されて各ステップで次々取得される情報が登録されていく。
【０１０５】
先ず、制御部１１は、表示部１３の画面上に製版面付けテンプレートの生成依頼先と刷版面付けテンプレートの依頼先を選択するよう促す情報を表示し（図４参照）、操作者が入力部１５を操作することにより選択された製版装置１０を、製版面付けテンプレート生成依頼先装置情報として取得し、選択された刷版装置２０を刷版面付けテンプレート生成依頼先装置情報として取得する（ステップＳ１）。取得された製版面付けテンプレート生成依頼先装置情報及び刷版面付けテンプレート生成依頼先装置情報は、面付け作業管理データベース１２ｃに作業ＩＤに対応付けて登録される。
【０１０６】
更に、制御部１１は、表示部１３の画面上に面付け仕様を指定するよう促す情報を表示し（図６参照）、操作者が入力部１５を操作することにより指定された面付け仕様を品目情報として取得する（ステップＳ２）。取得された品目情報は、面付け作業管理データベース１２ｃに作業ＩＤに対応付けて登録される。
【０１０７】
続いて、制御部１１は、ステップＳ１にて取得した製版面付けテンプレート生成依頼先装置情報及び刷版面付けテンプレート生成依頼先装置情報が示す製版装置１０と刷版装置２０のＩＰアドレスを、記憶部１２の装置情報データベース１２ａを参照して夫々取得する（ステップＳ３）。そして、各ＩＰアドレスに従い、製版装置１０にステップＳ２で取得した品目情報を送信して製版面付けテンプレートの生成を指示し、刷版装置２０にステップＳ２で取得した品目情報を送信して刷版面付けテンプレートの生成を指示する（ステップＳ４）。
【０１０８】
続いて、制御部１１は、製版装置１０から製版面付けテンプレートを受信し、刷版装置２０から刷版面付けテンプレートを受信する（ステップＳ５）。受信した製版面付けテンプレート及び刷版面付けテンプレートは、面付け作業管理データベース１２ｃに作業ＩＤに対応付けて登録される。
【０１０９】
次いで、制御部１１は、受信した製版面付けテンプレート及び刷版面付けテンプレートを合成して合成面付けテンプレートを生成する（ステップＳ６）。生成した合成面付けテンプレートは、合成面付けテンプレートデータとして面付け作業管理データベース１２ｃに作業ＩＤに対応付けて登録される。
【０１１０】
そして、生成した合成面付けテンプレートに基づいて各ページデータ（及びアクセサリ）をレイアウト（配置）し、ＲＩＰ処理、刷版イメージデータの出力を行なって処理を終了する（ステップＳ７）。
【０１１１】
その後、出力された刷版イメージデータに基づいて、刷版（印刷版）が作成されることとなる。
【０１１２】
図１６は、製本の様子を示す説明図である。
【０１１３】
図１６に示すように、合成面付けテンプレート（表裏１セット）で印刷された紙面が折られて折り丁が作成され、かかる折り丁を複数重ねて、本が製作される。
【０１１４】
なお、図１６では、ＩＤ（Ｈ００１）の合成面付けテンプレートが折り丁（折１）となっているが、折り丁（折１）は、ＩＤ（Ｈ００３）も折り丁（折１）となる（図７参照）。
【０１１５】
以上説明したように、本実施形態の自動面付けシステムＳによれば、面付け装置５０が、製版装置１０に製版面付けテンプレートの生成を指示し、刷版装置２０に刷版面付けテンプレートの生成を指示して、製版に関連する情報やノウハウ及び計算ロジック等を管理把握する製版装置１０が製版面付けテンプレートを生成し、刷版に関連する情報やノウハウ及び計算ロジック等を管理把握する刷版装置２０が刷版面付けテンプレートを生成するよう構成したので、面付け装置５０が種々の複数の拠点（東京、大阪、名古屋、沖縄・・・等）の製版、刷版のノウハウや計算ロジック等を管理把握する必要がなくなり、製版装置１０及び刷版装置２０から受信した製版面付けテンプレートデータ及び刷版面付けテンプレートデータを合成するだけで合成面付けテンプレートを生成することができる。更に、ページデータを実際にレイアウトすることなく、合成面付けテンプレートを生成することができ、ページデータの校正時間を長く取ることができる。
【０１１６】
なお、製版装置１０及び刷版装置２０に品目情報を送信して製版面付けテンプレート及び刷版面付けテンプレートの生成を指示しているが、品目情報のうち、製版装置１０には製版面付けテンプレートの生成に必要な情報（例えば、製版情報）のみを送信し、刷版装置２０には刷版面付けテンプレートの生成に必要な情報（例えば、刷版情報）のみを送信するよう構成してもよい。
【０１１７】
このとき面付け装置５０から製版装置１０及び刷版装置２０に送信される情報は、各テンプレートを生成するために必要最低限の情報のみが送信されるのであり、製版、刷版のためのノウハウや計算ロジック等は製版装置１０及び刷版装置２０が保有する情報が利用される。
【０１１８】
具体的には、面付け装置５０から製版装置１０に送信される製版情報は、サイズ（Ａ４、Ｂ５・・）、中綴じ、右綴じ等の情報であり、製版装置１０が保有する情報は、１ページの配置位置が、中綴じの場合には、ページ間の距離（本の背の部分）の長さ（例えば、０ｍｍ））、また、２ページの配置方法について、右綴じの場合には地合わせとし、３マークの配置情報について、中綴じの場合は、背標を付けない、トンボは付ける、場所はページの仕上がり位置とする・・等の情報である。
【０１１９】
また、面付け装置５０から刷版装置２０に送信される刷版情報は、印刷機・版サイズ、用紙サイズ等の情報であり、刷版装置２０が保有する情報は、例えば、（１）用紙サイズと刷版サイズから台の配置位置を計算するロジック、（２）印刷機によっては、台を１８０度回転させてから配置するなどの台の配置方法、（３）各種マークの配置方法（例えば、Ａ印刷機の場合には、見当マークを用紙センターに入れる。さらにＢ加工機の場合は、乱丁防止マークを用紙端に入れる）等の情報である。
【０１２０】
なお、本実施形態では、面付け装置５０を、製版装置１０及び刷版装置２０と別個設けたが、これに限定されるものでなく、何れかの製版装置１０又は刷版装置２０を、面付け装置５０として機能させることもできる。
【０１２１】
例えば、刷版装置２０が面付け装置５０として機能した場合には、ステップＳ１にて刷版面付けテンプレート生成依頼先として自己を選択し（他の刷版装置２０を選択してもよい）、ステップＳ２にて取得した品目情報に基づいて、刷版面付けテンプレートを生成し、ステップＳ１にて選択した製版装置１０からの製版面付けテンプレートと合成して合成面付けテンプレートを生成すればよい。
【図面の簡単な説明】
【０１２２】
【図１】本実施形態における自動面付けシステムＳの構成を示す説明図である。
【図２】面付け装置５０の概要構成例を示す図である。
【図３】装置情報データベース１２ａに格納（記憶）された装置情報の一例である。
【図４】製版装置１０と刷版装置２０の入力選択を促すための表示部１３の表示例である。
【図５】面付け装置５０が製版面付けテンプレート及び刷版面付けテンプレートの生成を指示する様子を示す概念図である。
【図６】面付け仕様の入力（指定）を促すための表示部１３の表示例である。
【図７】面付け仕様履歴データベース１２ｂに格納（記憶）された品目情報の一例である。
【図８】面付け作業管理データベース１２ｃに格納（記憶）された面付け作業情報の一例である。
【図９】各ページデータが配置される製版面付けテンプレートの一例である。
【図１０】製版面付けテンプレートデータの一例
【図１１】刷版面付けテンプレートの一例である。
【図１２】刷版面付けテンプレートデータの一例である。
【図１３】製版面付けテンプレートデータと刷版面付けテンプレートデータの合成手順の説明図である。
【図１４】合成面付けテンプレートデータの一例である。
【図１５】面付け装置５０における制御部１１の処理を示すフローチャートである。
【図１６】製本の様子を示す説明図である。
【符号の説明】
【０１２３】
１０（１０ａ、１０ｂ、１０ｃ、・・・）  製版装置
２０（２０ａ、２０ｂ、２０ｃ、・・・）  刷版装置
１１  制御部
１２  記憶部
１２ａ  装置情報データベース
１２ｂ  面付け仕様履歴データベース
１２ｃ  面付け作業管理データベース
１３  表示部
１４  通信部
１５  入力部
１６  バス
５０  面付け装置
Ｓ  自動面付けシステム
【図１】
2010087832.tif 000003
【図２】
2010087832.tif 000004
【図３】
2010087832.tif 000005
【図４】
2010087832.tif 000006
【図５】
2010087832.tif 000007
【図６】
2010087832.tif 000008
【図７】
2010087832.tif 000009
【図８】
2010087832.tif 000010
【図９】
2010087832.tif 000011
【図１０】
2010087832.tif 000012
【図１１】
2010087832.tif 000013
【図１２】
2010087832.tif 000014
【図１３】
2010087832.tif 000015
【図１４】
2010087832.tif 000016
【図１５】
2010087832.tif 000017
【図１６】
2010087832.tif 000018